(57)【要約】【課題】リニアログセンサを用いつつ補助光源を使用して撮影を行う場合において、ストロボ光の到達範囲内で複数の被写体の距離が異なる場合でも、露光オーバーを防止しつつ画面全体の明るさに対する影響を抑えることを可能とする撮像装置を提供する。【解決手段】撮像装置１に、入射光を電気信号に線形変換する線形変換動作と対数変換する対数変換動作とを入射光量に応じて切り換え可能な複数の画素を有する撮像素子４と、被写体の撮像時に光を照射する照射部６と、照射部６を使用して撮影を行うときに、被写体の輝度範囲で撮像素子４の出力信号が飽和しないよう、対数領域を優先して使用するように線形領域及び対数領域の境界となる変曲点を変更する変曲点変更部２５とを設ける。【選択図】図１０
2006332944.tif 000002
【特許請求の範囲】
【請求項１】
入射光を電気信号に線形変換する線形変換動作と対数変換する対数変換動作とを入射光量に応じて切り換え可能な複数の画素を有する撮像素子と、
被写体の撮像時に光を照射する照射部と、
前記照射部を使用して撮影を行うときに、被写体の輝度範囲で前記撮像素子の出力信号が飽和しないよう、対数領域を優先して使用するように線形領域及び対数領域の境界となる変曲点を変更する変曲点変更部と、
を備えることを特徴とする撮像装置。
【請求項２】
入射光を電気信号に線形変換する線形変換動作と対数変換する対数変換動作とを入射光量に応じて切り換え可能な複数の画素を有する撮像素子と、
被写体の撮像時に光を照射する照射部と、
前記照射部を使用して撮影を行うときに、前記照射部の照射光の到達範囲内に複数の被写体が存在する場合は、前記照射光の反射光量が最も大きい被写体の輝度範囲で前記撮像素子の出力信号が飽和しないよう、対数領域を優先して使用するように線形領域及び対数領域の境界となる変曲点を変更する変曲点変更部と、
を備えることを特徴とする撮像装置。
【請求項３】
前記複数の被写体のうち、前記照射光の反射光量が最も小さい被写体の露光量が適正となるように、前記照射部の照射量を設定する制御部を備えることを特徴とする請求項２記載の撮像装置。
【請求項４】
前記照射光の反射光量は、前記照射部を使用して予備撮影した場合の反射光量と前記照射部を使用せずに予備撮影した場合の反射光量との差であることを特徴とする請求項２又は請求項３記載の撮像装置。
【請求項５】
前記変曲点変更部は前記撮像素子の画素に設定する電圧値を変更することによって前記変曲点を変更することを特徴とする請求項１〜請求項４いずれか一項に記載の撮像装置。
【発明の詳細な説明】
【技術分野】
【０００１】
本発明は撮像装置に係り、特に、対数変換動作及び線形変換動作の切り換えが可能な撮像素子を有する撮像装置に関する。
【背景技術】
【０００２】
従来から、デジタルカメラや、車載カメラなどに組み込まれるカメラユニットなどの撮像装置による撮影において、被写体周辺が暗い場合はストロボ装置や高輝度ＬＥＤなどの補助光源を用いて撮影を行っている。
【０００３】
このような補助光源を用いて撮影を行う場合に、ストロボ光が到達する主要被写体と、距離差が少ない背景が存在する場合は、主要被写体が適正となるようなストロボ撮影制御を行う撮影装置が記載されている。
【特許文献１】特開平７−２２２０４９号公報
【発明の開示】
【発明が解決しようとする課題】
【０００４】
しかし、ストロボ光が到達する範囲内で、被写体が複数存在し、それぞれの被写体までの距離が異なる場合は、被写体までの距離に応じて、被写体に与えるストロボ光量が変化するために、双方の被写体に与えるストロボ光量は異なってしまうので、良好な画像が得られないという問題が生じる。
【０００５】
例えば、ストロボ光が適正に到達する範囲内で、カメラから比較的近距離に位置する被写体ａ及び比較的遠距離に位置する被写体ｂが存在する場合を想定する。ここで従来技術の概念を利用し、択一的にいずれか一方を主要被写体とすると、例えば、被写体ａに対して適正となるストロボ光量を与えた場合は被写体ｂに対して光量不足となる問題が生じ、他方、被写体ｂを主要被写体として適正となるストロボ光量を与えた場合は被写体ａに対して光量オーバーとなる問題が生じてしまう。このような問題は、特に、周辺輝度が暗い夜間において顕著に画像データに現れていた。
【０００６】
更に、適正となるストロボ光量を与えるために、絞りやシャッタやゲインなどの露光条件を組み合わせて撮影を行っても、撮影画面全体の明るさに影響するだけで、異なる距離に複数存在している被写体に対して良好な画像が得られるものとはならず、本質的な解決にならなかった。  
【０００７】
一方、近年、入射光量に応じて電気信号の線形変換動作及び対数変換動作の切り換えを可能にした撮像素子（リニアログセンサ）が提案されている。このような撮像素子によれば、線形変換動作のみを行う撮像素子（リニアセンサ）と比較すると、電気信号のダイナミックレンジが広くなるため、輝度分布の広い被写体を撮影した場合でも全輝度情報を電気信号で表現することができる。
【０００８】
しかし、撮影の際にストロボ装置などの照射手段を用いて撮影を行う場合において、特に、上述のごとくストロボ光の到達範囲内に複数の被写体が存在した場合については考慮されていない。
【０００９】
本発明の課題は、近年登場した撮像素子（リニアログセンサ）を用いつつ補助光源を使用して撮影を行う場合において、特にストロボ光の到達範囲内で、被写体が複数存在し、それぞれの被写体までの距離が異なる場合であっても、露光オーバーを防止しつつ、また露光条件を変えずに撮影を行うことで画面全体の明るさに対する影響が抑えられ、その結果、良好な画像が得られることを可能とする撮像装置を提供することにある。
【課題を解決するための手段】
【００１０】
上記課題を解決するために請求項１に記載の発明は、撮像装置であって、入射光を電気信号に線形変換する線形変換動作と対数変換する対数変換動作とを入射光量に応じて切り換え可能な複数の画素を有する撮像素子と、被写体の撮像時に光を照射する照射部と、前記照射部を使用して撮影を行うときに、被写体の輝度範囲で前記撮像素子の出力信号が飽和しないよう、対数領域を優先して使用するように線形領域及び対数領域の境界となる変曲点を変更する変曲点変更部と、を備えることを特徴とする。
【００１１】
請求項１に記載の発明によれば、照射部を使用して撮影を行うときに、変曲点を変更して対数領域を優先的に使用することにより、被写体の露光量オーバーによって撮像素子の出力信号が飽和するのを防ぎ、撮影画像が白とびするのを防止することができる。
【００１２】
請求項２に記載の発明は、撮像装置であって、入射光を電気信号に線形変換する線形変換動作と対数変換する対数変換動作とを入射光量に応じて切り換え可能な複数の画素を有する撮像素子と、被写体の撮像時に光を照射する照射部と、前記照射部を使用して撮影を行うときに、前記照射部の照射光の到達範囲内に複数の被写体が存在する場合は、前記照射光の反射光量が最も大きい被写体の輝度範囲で前記撮像素子の出力信号が飽和しないよう、対数領域を優先して使用するように線形領域及び対数領域の境界となる変曲点を変更する変曲点変更部と、を備えることを特徴とする。
【００１３】
請求項２に記載の発明によれば、照射部を使用して撮影を行うときに、照射光の到達範囲内に複数の被写体があった場合、特に近距離の被写体の露光量がオーバーするおそれがあるが、最も近距離の被写体を基準として変曲点を変更し、対数領域を優先的に使用することによって、その被写体の露光量オーバーにより撮像素子の出力信号が飽和するのを防ぎ、撮影画像が白とびするのを防止することができる。同時に、照射光の到達範囲内における他の被写体についても出力信号の飽和を防ぎ、白とびを防止することができる。
【００１４】
請求項３に記載の発明は、請求項２に記載の撮像装置であって、前記複数の被写体のうち、前記照射光の反射光量が最も小さい被写体の露光量が適正となるように、前記照射部の照射量を設定する制御部を備えることを特徴とする。
【００１５】
請求項３に記載の発明によれば、照射光の反射光量が最も小さい被写体、すなわち撮像装置から最も遠距離に位置する被写体の露光量が適正になるように照射部の照射量を調整することから、照射光の寄与度が最も少ない被写体の撮影画像における黒つぶれを防ぐことができる。
【００１６】
請求項４に記載の発明は、請求項２又は請求項３に記載の撮像装置であって、前記照射光の反射光量は、前記照射部を使用して予備撮影した場合の反射光量と前記照射部を使用せずに予備撮影した場合の反射光量との差であることを特徴とする。
【００１７】
請求項４に記載の発明によれば、照射部の照射光の到達距離内であれば、照射部を使用して撮影した場合の反射光量と照射部を使用せずに撮影した場合の反射光量との差が被写体の距離に応じた反射光量となることから、撮像装置からの被写体の相対的距離を判断することが可能となる。
【００１８】
請求項５に記載の発明は、請求項１〜請求項４いずれか一項に記載の撮像装置であって、前記変曲点変更部は前記撮像素子の画素に設定する電圧値を変更することによって前記変曲点を変更することを特徴とする。
【００１９】
請求項５に記載の発明によれば、撮像素子の出力信号の変曲点を変更することが可能となる。
【発明の効果】
【００２０】
請求項１に記載の発明によれば、照射部を使用した撮影において、撮像素子の出力信号の飽和を防ぎ、撮影画像の白とびを防止して、良好な画像を得ることが可能となる。この際、変曲点を変更するのみで、露光条件は変えずに画面全体の明るさに対する影響を抑えることができる。
【００２１】
請求項２に記載の発明によれば、照射部を使用した撮影において、照射光の到達範囲内に複数の被写体がある場合でも、最も近距離に位置する被写体を基準として変曲点を変更することにより、撮像素子の出力信号の飽和を防ぎ、撮影画像全体の白とびを防止して、良好な画像を得ることが可能となる。この際、変曲点を変更するのみで、露光条件は変えずに画面全体の明るさに対する影響を抑えることができる。
【００２２】
請求項３に記載の発明によれば、照射光の到達範囲内で被写体が複数存在する場合に、撮像装置から最も遠距離に位置する被写体の撮影画像における黒つぶれを防ぐことができる。
【００２３】
請求項４に記載の発明によれば、撮像装置からの被写体の相対的距離より、それぞれの被写体に対する照射光の寄与度を把握して、変曲点の制御や露光量の調整を行うことが可能となる。
【００２４】
請求項５に記載の発明によれば、撮像素子の出力信号の変曲点を変更することが可能となる。
【発明を実施するための最良の形態】
【００２５】
本発明の実施の形態について、図面を参照して説明する。
【００２６】
本実施形態に係る撮像装置１はコンパクトタイプのデジタルカメラであるが、本発明の撮像装置には、一眼レフタイプのデジタルカメラ、カメラ付携帯電話、車載カメラなどの撮影機能を備えた電子機器の他、携帯電話、車載カメラなどの電子機器に組み込まれるカメラユニットなども含まれる。
【００２７】
図１に示すように、撮像装置１が備える筐体２の前面中央部付近には、被写体の画像光を所定の焦点に集光させるレンズユニット３が、レンズユニット３の光軸が筐体２の前面に直交するように設けられている。そして、筐体２の内部であってレンズユニット３の後方には、レンズユニット３を介して入射した被写体の反射光を電気信号に光電変換する撮像素子４が設けられている。
【００２８】
また、図２に示すように、撮像素子４の近傍には、ラインセンサ５が撮像素子４と同様の撮影画角となるように配置されている。ラインセンサ５は、撮影画面内の各領域に対応する領域Ａ〜領域Ｅにおいて、撮影画面内の各領域における被写体の反射光を受光するようになっている。なお、撮像素子４をラインセンサとして用いてもよい。
【００２９】
また、図１に示すように、筐体２の前面上端部付近には撮影時に光を照射する照射部６が備えられている。本実施形態の照射部６は撮像装置１に内蔵されたストロボ装置によって構成されているが、外付けのストロボ装置又は高輝度ＬＥＤによって構成してもよい。また、筐体２の前面であってレンズユニット３の上部付近には、調光センサ７が設けられており、この調光センサ７は、照射部６から照射された光が被写体で反射されて、その反射した光を受光するものである。
【００３０】
更に、撮像装置１が備える筐体２の内部には、システム制御部８及び信号処理部９（いずれも図４参照）などの回路を含む回路基板（図示略）が設けられている。また、筐体２の内部には電池１０が内蔵されていると共に、メモリカードなどの記録部１１が装填されている。
【００３１】
また、図３に示すように、筐体２の背面には、画像表示用のモニタ１２が設けられている。モニタ１２はＬＣＤ（Liquid Crystal Display）、ＣＲＴ（Cathode Ray Tube）などによって構成されており、被写体のプレビュー画面や撮影画像を表示することができるようになっている。
【００３２】
また、撮像装置１の背面上端部付近には、ズームを調整するためのズームボタンＷ１３（Wide：広角）及びズームボタンＴ１４（Telephoto：望遠）が設けられている。また、撮像装置１の背面であってレンズユニット３が設けられている位置の上方には、筐体２の背面側から被写体を確認するための光学式ファインダ１５が配置されている。
【００３３】
更に、撮像装置１の背面中央部付近には、モニタ１２の画面上に表示されたカーソルやウィンドウの移動又はウィンドウの指定範囲の変更をするための十字キーを備えた選択用十字キー１６が設けられている。また、選択用十字キー１６の中心部分には、カーソルやウィンドウによって指定した内容を確定するための確定キーが備えられている。
【００３４】
また、撮像装置１の上面であって電池１０とレンズユニット３との間には、シャッタレリーズを行うためのレリーズスイッチ１７が設けられている。レリーズスイッチ１７は、途中まで押し込んだ「半押し状態」の操作と、更に押し込んだ「全押し状態」の操作とが可能とされている。
【００３５】
また、筐体２の上面端部付近には、押下により撮像装置１の電源をＯＮ（起動）又はＯＦＦ（起動停止）とする電源スイッチ１８が設けられている。
【００３６】
なお、筐体２の一側面上端部付近には、撮像装置１をパーソナルコンピュータなどに接続するＵＳＢケーブルを接続するためのＵＳＢ端子１９が設けられている。
【００３７】
次に、図４に撮像装置１の機能的構成を示す。
【００３８】
上述のように、撮像装置１は筐体２の内部の回路基板上にシステム制御部８を備えている。システム制御部８は、ＣＰＵ（Central Processing Unit）、書き換え可能な半導体素子で構成されるＲＡＭ（Random Access Memory）及び不揮発性の半導体メモリで構成されるＲＯＭ（Read Only Memory）から構成されている。
【００３９】
また、システム制御部８には撮像装置１の各構成部分が接続されており、システム制御部８は、ＲＯＭに記録された処理プログラムをＲＡＭに展開してＣＰＵによりこの処理プログラムを実行することにより、これらの各構成部分を駆動制御するようになっている。
【００４０】
図４に示すように、システム制御部８には、レンズユニット３、絞り制御部２０、撮像素子４、信号処理部９、タイミング生成部２１、記録部１１、照射部６、照射制御回路２３、調光センサ７、調光回路２４、ラインセンサ５、モニタ１２、操作部２２及び変曲点変更部２５が接続されている。
【００４１】
レンズユニット３は、被写体光像を撮像素子４の撮像面に結像する複数のレンズ及びレンズにより集光される光の量を調整する絞り部から構成されている。
【００４２】
絞り制御部２０は、レンズユニット３においてレンズにより集光される光の量を調整する絞り部を駆動制御するようになっている。すなわち、絞り制御部２０は、システム制御部８から入力される制御値に基づき、撮像素子４の撮像動作開始直前に絞り部を開口させてから所定の露光時間の経過後に絞り部を閉塞させ、また、非撮像時は撮像素子４への入射光を遮断することによって、入射光量を制御するようになっている。
【００４３】
撮像素子４は、被写体光像であるＲ，Ｇ，Ｂの各色成分の入射光を電気信号に光電変換して取り込むようになっている。
【００４４】
図５に示すように、撮像素子４は、行列配置（マトリクス配置）された複数の画素Ｇ11〜Ｇmn（但し、ｎ，ｍは１以上の整数）を有している。
【００４５】
各画素Ｇ11〜Ｇmnは、入射光を光電変換して電気信号を出力するものである。これら画素Ｇ11〜Ｇmnは、入射光量に応じた電気信号の変換動作の切り換えが可能となっており、より詳細には、入射光を電気信号に線形変換する線形変換動作と、対数変換する対数変換動作とを切り換えるようになっている。なお、本実施形態において、入射光を電気信号に線形変換や対数変換するとは、光量の時間積分値を線形的に変化するような電気信号に変換することや、対数的に変化するような電気信号に対数変換することである。
【００４６】
画素Ｇ11〜Ｇmnのレンズユニット３側には、それぞれレッド（Red）、グリーン（Green）及びブルー（Blue）のうち何れか１色のフィルタ（図示せず）が配設されている。また、画素Ｇ11〜Ｇmnには、図５に示すように、電源ライン２６や信号印加ラインＬA1〜ＬAn，ＬB1〜ＬBn，ＬC1〜ＬCn、信号読出ラインＬD1〜ＬDmが接続されている。なお、画素Ｇ11〜Ｇmnには、クロックラインやバイアス供給ライン等のラインも接続されているが、図５ではこれらの図示を省略している。
【００４７】
信号印加ラインＬA1〜ＬAn，ＬB1〜ＬBn，ＬC1〜ＬCnは画素Ｇ11〜Ｇmnに対して信号φv，φVD，φVPS（図６，図７参照）を与えるようになっている。これら信号印加ラインＬA1〜ＬAn，ＬB1〜ＬBn，ＬC1〜ＬCnには、垂直走査回路２７が接続されている。この垂直走査回路２７は、タイミング生成部２１（図４参照）からの信号に基づいて信号印加ラインＬA1〜ＬAn，ＬB1〜ＬBn，ＬC1〜ＬCnに信号を印加するものであり、信号を印加する対象の信号印加ラインＬA1〜ＬAn，ＬB1〜ＬBn，ＬC1〜ＬCnをＸ方向に順次切り換えるようになっている。
【００４８】
信号読出ラインＬD1〜ＬDmには、各画素Ｇ11〜Ｇmnで生成された電気信号が導出されるようになっている。これら信号読出ラインＬD1〜ＬDmには定電流源Ｄ1〜Ｄm及び選択回路Ｓ1〜Ｓmが接続されている。また、定電流源Ｄ1〜Ｄmの一端（図中下側の端部）には、直流電圧ＶPSが印加されるようになっている。
【００４９】
選択回路Ｓ1〜Ｓmは、各信号読出ラインＬD1〜ＬDmを介して画素Ｇ11〜Ｇmnから与えられるノイズ信号と撮像時の電気信号とをサンプルホールドするものである。これら選択回路Ｓ1〜Ｓmには、水平走査回路２８及び補正回路２９が接続されている。水平走査回路２８は、電気信号をサンプルホールドして補正回路２９に送信する選択回路Ｓ1〜Ｓmを、Ｙ方向に順次切り換えるものである。また、補正回路２９は、選択回路Ｓ1〜Ｓmから送信されるノイズ信号及び撮像時の電気信号に基づき、当該電気信号からノイズ信号を除去するものである。
【００５０】
なお、選択回路Ｓ1〜Ｓm及び補正回路２９としては、特開平２００１−２２３９４８号公報に開示のものを用いることができる。また、本実施の形態においては、選択回路Ｓ1
〜Ｓmの全体に対して補正回路２９を１つのみ設けることとして説明するが、選択回路Ｓ1〜Ｓmのそれぞれに対して補正回路２９を１つずつ設けることとしても良い。
【００５１】
続いて、撮像素子４が備える画素Ｇ11〜Ｇmnについて説明する。
各画素Ｇ11〜Ｇmnは、図６に示すように、フォトダイオードＰ、トランジスタＴ1〜Ｔ6及びキャパシタＣを備えている。なお、トランジスタＴ1〜Ｔ6は、ＰチャネルのＭＯＳトランジスタである。
【００５２】
フォトダイオードＰには、レンズユニット３を通過した光が当たるようになっている。このフォトダイオードＰのアノードＰAには直流電圧ＶPDが印加されており、カソードＰkにはトランジスタＴ1のドレインＴ1Dが接続されている。
【００５３】
トランジスタＴ1のゲートＴ1Gには信号φSが入力されるようになっており、ソースＴ1SにはトランジスタＴ2のゲートＴ2G及びドレインＴ2Dが接続されている。
【００５４】
このトランジスタＴ2のソースＴ2Sには信号印加ラインＬC（図５のＬC1〜ＬCnに相当）が接続されており、この信号印加ラインＬCから信号φVPSが入力されるようになっている。ここで、図７に示すように、信号φVPSは２値の電圧信号であり、より詳細には、入射光量が所定入射光量ｔｈを超えたときにトランジスタＴ2をサブスレッショルド領域で動作させるための電圧値ＶＬと、トランジスタＴ2を導通状態にする電圧値ＶＨとの２つの値をとるようになっている。
【００５５】
また、トランジスタＴ1のソースＴ1SにはトランジスタＴ3のゲートＴ3Gが接続されている。
このトランジスタＴ3のドレインＴ3Dには、直流電圧ＶPDが印加されるようになっている。また、トランジスタＴ3のソースＴ3Sには、キャパシタＣの一端と、トランジスタＴ5のドレインＴ5Dと、トランジスタＴ4のゲートＴ4Gとが接続されている。
【００５６】
キャパシタＣの他端には、信号印加ラインＬB（図５のＬB1〜ＬBnに相当）が接続されており、この信号印加ラインＬBから信号φVDが与えられるようになっている。ここで、図７に示すように、信号φVDは３値の電圧信号であり、より詳細には、キャパシタＣを積分動作させる際の電圧値Ｖｈと、光電変換された電気信号読み出し時の電圧値Ｖｍと、ノイズ信号読み出し時の電圧値Ｖｌとの３つの値をとるようになっている。
【００５７】
トランジスタＴ5のソースＴ5Sには直流電圧ＶRGが、ゲートＴ5Gには信号φRSが入力されるようになっている。
【００５８】
トランジスタＴ4のドレインＴ4Dには、トランジスタＴ3のドレインＴ3Dと同様に直流電圧ＶPDが印加されるようになっており、ソースＴ4Sには、トランジスタＴ6のドレインＴ6Dが接続されている。
【００５９】
このトランジスタＴ6のソースＴ6Sには、信号読出ラインＬD（図５のＬD1〜ＬDmに相当）が接続されており、ゲートＴ6Gには、信号印加ラインＬA（図５のＬA1〜ＬAnに相当）から信号φVが入力されるようになっている。
【００６０】
このような回路構成をとることにより、各画素Ｇ11〜Ｇmnは以下のリセット動作を行うようになっている。
【００６１】
まず、図７に示すように、垂直走査回路２７が画素Ｇ11〜Ｇmnのリセット動作を行うようになっている。
具体的には、信号φSがＬｏｗ、信号φVがＨｉ、信号φVPSがＶＬ、信号φRSがＨｉ、信号φVDがＶｈとなっている状態から、垂直走査回路２７が、パルス信号φVと、電圧値Ｖｍのパルス信号φVDとを画素Ｇ11〜Ｇmnに与えて電気信号を信号読出ラインＬDに出力させた後、信号φSをＨｉとしてトランジスタＴ1をＯＦＦとするようになっている。
【００６２】
次に、垂直走査回路２７が信号φVPSをＶＨとすることで、トランジスタＴ2のゲートＴ2G及びドレインＴ2D、並びにトランジスタＴ3のゲートＴ3Gに蓄積された負の電荷を速やかに再結合させるようになっている。また、垂直走査回路２７が信号φRSをＬｏｗとしてトランジスタＴ5をＯＮにすることにより、キャパシタＣとトランジスタＴ4のゲートＴ4Gとの接続ノードの電圧を初期化するようになっている。
【００６３】
次に、垂直走査回路２７が信号φVPSをＶＬとすることで、トランジスタＴ2のポテンシャル状態を基の状態に戻した後、信号φRSをＨｉにして、トランジスタＴ5をＯＦＦにする。次に、キャパシタＣが積分動作を行うようになっている。これにより、キャパシタＣとトランジスタＴ4のゲートＴ4Gとの接続ノードの電圧が、リセットされたトランジスタＴ2のゲート電圧に応じたものとなる。
【００６４】
次に、垂直走査回路２７がパルス信号φVをトランジスタＴ6のゲートＴ6Gに与えることでトランジスタＴ6をＯＮにするとともに、電圧値Ｖｌのパルス信号φVDをキャパシタＣに印加するようになっている。このとき、トランジスタＴ4がソースフォロワ型のＭＯＳトランジスタとして動作するため、信号読出ラインＬDにはノイズ信号が電圧信号として現れる。
【００６５】
そして、垂直走査回路２７がパルス信号φRSをトランジスタＴ5のゲートＴ5Gに与えてキャパシタＣとトランジスタＴ4のゲートＴ4Gとの接続ノードの電圧をリセットした後、信号φSをＬｏｗにしてトランジスタＴ1をＯＮとするようになっている。これにより、リセット動作が完了し、画素Ｇ11〜Ｇmnが撮像可能状態となる。
【００６６】
また、各画素Ｇ11〜Ｇmnは以下の撮像動作を行うようになっている。
【００６７】
フォトダイオードＰより入射光量に応じた光電荷がトランジスタＴ2に流れ込むと、光電荷がトランジスタＴ2のゲートＴ2Gに蓄積されるようになっている。
【００６８】
ここで、被写体の輝度が低く、フォトダイオードＰに対する入射光量が前記所定入射光量ｔｈよりも少ない場合には、トランジスタＴ2はカットオフ状態であるので、トランジスタＴ2のゲートＴ2Gに蓄積された光電荷量に応じた電圧が当該ゲートＴ2Gに現れる。そのため、トランジスタＴ3のゲートＴ3Gには、入射光を線形変換した電圧が現れるようになっている。
一方、被写体の輝度が高く、フォトダイオードＰに対する入射光量が前記所定入射光量ｔｈよりも多い場合には、トランジスタＴ2がサブスレッショルド領域で動作を行うようになっている。そのため、トランジスタＴ3のゲートＴ3Gには、入射光を自然対数で対数変換した電圧が現れる。
なお、本実施の形態においては、画素Ｇ11〜Ｇmnの間で前記所定値の値は等しくなっている。
【００６９】
トランジスタＴ3のゲートＴ3Gに電圧が現れると、その電圧量に応じてキャパシタＣからトランジスタＴ3のドレインＴ3Dに流れる電流が増幅されるようになっている。そのため、トランジスタＴ4のゲートＴ4Gには、フォトダイオードＰの入射光を線形変換又は対数変換した電圧が現れる。
【００７０】
次に、垂直走査回路２７が信号φVDの電圧値をＶｍとするとともに、信号φVをＬｏｗとするようになっている。これにより、トランジスタＴ4のゲート電圧に応じたソース電流が、トランジスタＴ6を介して信号読出ラインＬDへ流れる。このとき、トランジスタＴ4がソースフォロワ型のＭＯＳトランジスタとして動作するため、信号読出ラインＬDには撮像時の電気信号が電圧信号として現れるようになっている。ここで、トランジスタＴ4，Ｔ6を介して出力される電気信号の信号値はトランジスタＴ4のゲート電圧に比例した値となるため、当該信号値はフォトダイオードＰの入射光を線形変換又は対数変換した値となる。
【００７１】
そして、垂直走査回路２７が信号φVDの電圧値をＶｈとするとともに、信号φVをＨｉとすることにより、撮像動作が終了するようになっている。
【００７２】
このように動作するとき、撮像時の信号φVPSの電圧値ＶＬが低くなり、リセット時の信号φVPSの電圧値ＶＨとの差を大きくするほど、トランジスタＴ2のゲート・ソース間におけるポテンシャル差が大きくなって、トランジスタＴ2がカットオフ状態で動作する被写体輝度の割合が大きくなる。したがって、図８に示すように、電圧値ＶＬが低いほど、線形変換する被写体輝度の割合が大きくなる。このように、本実施形態に係る撮像素子４の出力信号は、入射光量に応じて線形領域及び対数領域が連続的に変化するようになっている。
【００７３】
そこで、例えば、被写体の輝度範囲が狭い場合は電圧値ＶＬを低くして線形変換する輝度範囲を広くし、また、被写体の輝度範囲が広い場合は電圧値ＶＬを高くして対数変換する輝度範囲を広くすることで、被写体の特性に合った光電変換特性とすることができる。なお、電圧値ＶＬを最小とするとき、常に線形変換する状態とし、また、電圧値ＶＨを最大とするとき、常に対数変換する状態とすることもできる。
【００７４】
このように動作する撮像素子４の画素Ｇ11〜Ｇmnに与える信号φVPSの電圧値ＶＬの値を切り換えることによって、ダイナミックレンジを切り換えることが可能となっている。すなわち、システム制御部８が信号φVPSの電圧値ＶＬの値を切り換えることによって、画素Ｇ11〜Ｇmnの線形変換動作から対数変換動作に切り換わる変曲点を変更することができるようになっている。
【００７５】
なお、本実施形態に係る撮像素子４は線形変換動作と対数変換動作とを各画素において自動的に切り換えるものであればよく、図６とは異なる構成の画素を備えた撮像素子４であってもよい。
【００７６】
また、本実施形態においては撮像時の信号φVPSの電圧値ＶＬを変更することで線形変換動作と対数変換動作とを切り換えることとしたが、リセット時の信号φVPSの電圧値ＶＨを変更することで線形変換動作と対数変換動作との変曲点を変更してもよい。更に、リセット時間を変更することで線形変換動作と対数変換動作との変曲点を変更してもよい。      
【００７７】
また、本実施形態の撮像素子４は各画素にＲＧＢフィルタを備えるものとしたが、シアン（Cyan）、マゼンタ（Magenta）、イエロー（Yellow）など他の色フィルタを備えるものとしてもよい。
【００７８】
図４に戻り、信号処理部９はアンプ３０、Ａ／Ｄコンバータ３１、黒基準補正部３２、ＡＥ評価値算出部３３、ＷＢ処理部３４、色補間部３５、色補正部３６、階調変換部３７及び色空間変換部３８から構成されている。
【００７９】
このうち、アンプ３０は、撮像素子４から出力された電気信号を所定の規定レベルに増幅して撮影画像のレベル不足を補償するようになっている。
【００８０】
また、Ａ／Ｄコンバータ３１（ＡＤＣ）は、アンプ３０において増幅された電気信号をアナログ信号からデジタル信号に変換するようになっている。
【００８１】
また、黒基準補正部３２は、最低輝度値となる黒レベルを、基準値に補正するようになっている。すなわち、撮像素子４のダイナミックレンジにより黒レベルが異なるため、Ａ／Ｄコンバータ３１から出力されるＲＧＢ各信号の信号レベルに対して、黒レベルとなる信号レベルを減算することで黒基準補正が行われるようになっている。
【００８２】
また、ＡＥ評価値算出部３３は、黒基準補正後の電気信号からＡＥ（自動露出）のために必要な評価値を検出するようになっている。すなわち、ＲＧＢの各原色成分から成る電気信号の輝度値を確認することにより、被写体の輝度範囲を表す輝度の平均値分布範囲を算出して、入射光量を設定するＡＥ評価値としてシステム制御部８に出力すると共に、被写体情報として変曲点変更部２５に出力するようになっている。
【００８３】
また、ＷＢ処理部３４は、黒基準補正後の電気信号から補正係数を算出することによって、撮像画像のＲ，Ｇ，Ｂの各色成分のレベル比（Ｒ／Ｇ，Ｂ／Ｇ）を調整して白色を正しく表示するようになっている。
【００８４】
また、色補間部３５は、撮像素子４の画素において得られる信号が原色のうち一つあるいは二つだけである場合に、各画素についてＲ，Ｇ，Ｂの各色成分値を求めることができるように、欠落する色成分を画素ごとに補間する色補間処理を行うようになっている。
【００８５】
また、色補正部３６は、色補間部３５から入力する画像データの画素ごとの色成分値を補正して、各画素の色合いを強調した画像を生成するようになっている。
【００８６】
また、階調変換部３７は、画像を忠実に再現すべく、画像の入力から最終出力までにおいてガンマを１として理想階調再現特性を実現するために、画像の階調の応答特性を撮像装置１のガンマ値に応じた最適のカーブに補正するガンマ補正処理を行うようになっている
【００８７】
また、色空間変換部３８は、色空間をＲＧＢからＹＵＶに変換するようになっている。ＹＵＶは、輝度（Y）信号と青の色差（U，Cb）と赤の色差（V，Cr）の２つの色度で色を表現する
の管理方法であり、色空間をＹＵＶに変換することにより、色差信号のみのデータ圧縮が行いやすくなる。
【００８８】
次に、タイミング生成部２１は、撮像素子４による撮影動作（露光に基づく電荷蓄積や蓄積電荷の読出しなど）を制御するようになっている。すなわち、システム制御部８からの撮影制御信号に基づいて所定のタイミングパルス（画素駆動信号、水平同期信号、垂直同期信号、水平走査回路駆動信号、垂直走査回路駆動信号など）を生成して撮像素子４に出力するようになっている。また、タイミング生成部２１は、Ａ／Ｄコンバータ３１において用いられるＡ／Ｄ変換用のタイミング信号も生成する。
【００８９】
記録部１１は、半導体メモリなどからなる記録用のメモリであり、信号処理部９から入力された画像データを記録する画像データ記録領域を有している。記録部１１は、例えばフラッシュメモリなどの内蔵型メモリや、着脱可能なメモリカードやメモリスティックであってもよく、また、ハードディスク又はフロッピー（登録商標）ディスクなどの磁気記録媒体などであってもよい。
【００９０】
モニタ１２は、表示部としての機能を果たすものであり、被写体のプレビュー画像などを表示し、また、ユーザが機能選択するためのメニュー画面などのテキスト画面を表示するようになっている。
【００９１】
操作部２２は、ズームボタンＷ１３、ズームボタンＴ１４、選択用十字キー１６、レリーズスイッチ１７及び電源スイッチ１８から構成されており、操作部２２を操作すると、各ボタン又はスイッチの機能に対応した指示信号がシステム制御部８に送信され、この指示信号に従って撮像装置１の各構成部分が駆動制御されるようになっている。
【００９２】
このうち、ズームボタンＷ１３は押下によりズームを調整して被写体を小さく写す機能を果たし、また、ズームボタンＴ１４は押下によりズームを調整して被写体を大きく写す機能を果たしている。
【００９３】
また、選択用十字キー１６は、十字キーの押下によりカーソルなどを移動させて撮影モードやストロボモードを選択し、中心部分の押下により選択内容を確定することができるようになっている。
【００９４】
また、レリーズスイッチ１７は、「半押し」により測光動作を開始し、また、「全押し」により予備撮影及び本撮影を含む一連の撮影動作を開始するようになっている。
【００９５】
また、電源スイッチ１８は、押下により撮像装置１のＯＮ、ＯＦＦを順次繰り返すようになっている。
【００９６】
照射部６としてのストロボ装置は、予備撮影時に本照射における照射量の１／ｎの光量で予備照射を行うようになっている。この際の照射量は、撮像素子４の出力が飽和しない程度であることが望ましい。また、照射部６としてのストロボ装置は、本撮影時に周囲環境の輝度が不足する場合に、所定の照射タイミング及び照射量により本照射を行うようになっている。
【００９７】
照射制御回路２３は、照射部６に照射させるために電荷を蓄え、システム制御部８からの指示信号に基づいて照射部６に照射させるようになっている。
【００９８】
調光センサ７は、照射部６から照射されたストロボ光を検出して、検出結果を調光回路２４に出力するようになっている。
【００９９】
調光回路２４は、調光センサ７からの出力を積分して、照射部６の照射量を調光させるために、その積分値を照射制御回路２３に出力するようになっている。
【０１００】
ラインセンサ５は、例えばエリアセンサや面センサであり、図２に示すように、所定の領域Ａ〜Ｅにおいて被写体の反射光を受光し、それぞれの受光量をシステム制御部８に送信するようになっている。本実施形態では、予備撮影時の、照射部６としてのストロボ装置を使用しない場合の撮影における被写体の反射光のセンサ受光量（i）と、ストロボ装置により予備照射した場合の撮影における被写体の反射光のセンサ受光量（ii）とを、それぞれの上記領域Ａ〜Ｅごとに検出して送信するようになっている。なお、撮像素子４を用いて所定の領域Ａ〜Ｅにおける被写体の反射光を検出する場合は、エリアセンサなどのラインセンサ５は不要となる。
【０１０１】
システム制御部８は、撮像装置１の電源がＯＮとされた状態で、所定の周期ごと、例えば１５ｆｐｓごとに、撮像素子４による撮像を行い、その撮影画像をプレビュー画面としてモニタ１２に逐次表示するようになっている。この際、毎回ＡＥを行うようにすることもできる。
【０１０２】
また、システム制御部８は、プレビュー画面の撮影画像から得られたＡＥ評価値、例えばモニタ１２の画面全体の平均輝度値から、本撮影における露光条件である絞り値、シャッタスピード及び撮影感度などを決定するようになっている。
【０１０３】
また、システム制御部８は、撮影時に照射部６としてのストロボ装置を使用するか否かの判断を行うようになっている。例えば、ＡＥ評価値よりプレビュー画面全体の平均輝度値を算出し、その平均輝度値が所定の輝度値以下であれば撮影時にストロボ装置を使用する判断を行うようになっている。
【０１０４】
また、システム制御部８は、予備撮影において、本撮影時の露光条件でストロボ装置を使用せずに撮影を行った後に、本照射の１／ｎの光量で予備照射をして撮影を行うようになっている。そして、ラインセンサ５からストロボ装置を使用しない撮影における被写体の反射光のセンサ受光量（ｉ）及び予備照射をした撮影における被写体の反射光のセンサ受光量（ii）を受信すると、センサ受光量（ｉ）とセンサ受光量（ii）との差をとることにより、領域Ａ〜Ｅごとに被写体の距離に応じた反射光量Ｘを算出するようになっている。この反射光量Ｘは、撮像装置１と被写体との距離が大きくなるほど減少するようになっており、ここでは被写体固有の反射率は考慮しないものとしている。図９に各領域における被写体の距離に応じた反射光量Ｘの例を示す。
【０１０５】
また、システム制御部８は、ストロボ光の到達範囲内に被写体が存在するか否かを判断するようになっている。その結果、ストロボ光の寄与を受ける被写体が存在しないと判断した場合は、本撮影時のストロボ光量を最大として設定するようになっている。
【０１０６】
また、システム制御部８は、ストロボ光の到達範囲内に１つの被写体が存在する場合は、その被写体を主要被写体として決定し、本撮影時のストロボ光量として、決定した主要被写体の露光量が適正となるストロボ光量を設定するようになっている。
【０１０７】
また、システム制御部８は、ストロボ光の到達範囲内に複数の被写体が存在する場合は、ストロボ光の到達範囲内で反射光量Ｘが最小となる被写体を主要被写体として決定し、決定した主要被写体の露光量が適正となるストロボ光量を設定するようになっている。
この際、ストロボ光の到達範囲内で被写体の距離に応じた反射光量Ｘに差があるか否かを判断し、差がない場合は同一の被写体、差がある場合は異なる被写体として判断する。例えば、図９では、ストロボ光の到達範囲内に複数の領域Ａ，領域Ｂ，領域Ｃが存在し、このうち領域Ｂ及び領域Ｃで受光した反射光量Ｘは同一なので、これらの領域に対応する被写体は同一の被写体と判断される。他方、領域Ａに対応する被写体は異なる被写体と判断される。そして、受光した反射光量Ｘが最小となる領域Ｂ及び領域Ｃに対応する被写体を主要被写体として決定するようになっている。
【０１０８】
変曲点変更部２５は、測光動作における撮像及び予備撮影において、撮像素子４に印加する電圧値ＶＬを最小として撮像素子４を常に線形変換動作させることが可能であり、また、線形変換動作及び対数変換動作の双方を行うことが出来る状態とすることも可能である。常に線形変換動作させる場合は、測光動作における撮像及び予備撮影において撮影画像のコントラストが優先される。なお、変曲点変更部２５は、プレビュー画面が撮像されるたびに算出されたＡＥ評価値に基づき、撮像素子４の出力信号の高輝度領域が飽和しないように毎回変曲点を変化させる構成とすることもできる。
【０１０９】
また、変曲点変更部２５は、システム制御部８がストロボ光の到達範囲内に被写体が存在しないと判断した場合又はストロボ光の到達範囲内に１つの被写体が存在すると判断した場合は、コントラストを優先するため、本撮影にあたり撮像素子４に印加する電圧値ＶＬを最小として、撮像素子４を常に線形変換動作する状態とするようになっている。
【０１１０】
また、変曲点変更部２５は、システム制御部８がストロボ光の到達範囲内に複数の被写体が存在すると判断した場合は、ストロボ光の到達範囲内で反射光量Ｘの最も大きい副被写体の輝度範囲において出力信号が飽和しないように変曲点を変更することにより、その副被写体の輝度分布を対数領域に位置させるようになっている。本実施形態では、図９の領域Ａの輝度範囲において出力信号が飽和しないように変曲点を変更する。すなわち、上述のようにストロボ光量はストロボ光の到達範囲内で反射光量Ｘが最小となる主要被写体の露光量が適正となるように設定されるため、それより反射光量Ｘの大きい副被写体は露光量オーバーとなる。しかし、反射光量Ｘの最も大きい副被写体の輝度範囲において出力信号が飽和しないように変曲点を変更すれば、他の副被写体についても出力信号が飽和することはなくなる。
【０１１１】
図１０は、被写体の輝度値に対する撮像素子４の出力信号を示すグラフである。グラフ（ａ）において、領域Ａの輝度分布は撮像素子４の出力信号の飽和領域に達してしまっている。このため領域Ａに対応する副被写体の画像データを得ることができない。そこで、図１０に示すように、グラフ（ａ）における変曲点αが変曲点βの位置となるように変曲点を下げる。これにより、撮像素子４の出力信号はグラフ（ｂ）となり、領域Ａの輝度分布は対数領域に位置するようになる。こうして、領域Ｂ及び領域Ｃに対応する主要被写体より近距離に位置する副被写体について撮像素子４の出力信号が飽和することを防ぎ、撮影画像の白とびを防止することができる。
【０１１２】
次に、変曲点変更部２５は、撮像素子４の変曲点を決定した変曲点に変更するために、撮像素子４に設定する電圧値ＶＬを算出するようになっている。
【０１１３】
上述したように、本実施形態の撮像素子４は、図５に示す画素Ｇ１１〜Ｇｍｎに与える信号φＶＰＳの電圧値ＶＬの値を切り換えることにより、線形変換動作から対数変換動作に切り換わる変曲点を変更できるようになっている。
【０１１４】
ここで、撮像素子４の出力信号の特性として、電圧値ＶＬが低いほど線形変換する被写体輝度の割合が多くなる。したがって、変曲点を下げる場合、すなわち線形変換する被写体輝度の割合を少なくする場合は、電圧値ＶＬを増加させればよい。このようにして、変曲点変更部２５は、撮像素子４の変曲点を決定した変曲点に変更するために画素Ｇ１１〜Ｇｍｎに与える信号φＶＰＳの電圧値ＶＬを算出するようになっている。
【０１１５】
なお、ストロボ光の到達範囲内で最も近距離にある副被写体の輝度分布と電圧値ＶＬとを対応付けることにより予め作成したＬＵＴを変曲点変更部２５に格納しておき、このＬＵＴを利用して電圧値ＶＬを算出する構成としてもよい。
【０１１６】
更に、変曲点変更部２５はＤＡコンバータ３８を備えており、算出した電圧値ＶＬをアナログデータに変換して撮像素子４の画素Ｇ１１〜Ｇｍｎに入力することにより、撮像素子４の変曲点を最適な変曲点に変化させるようになっている。
【０１１７】
次に、本実施形態の撮像装置１の動作について、図１１のフローチャートを参照して説明する。
【０１１８】
システム制御部８は、撮像装置１の電源がＯＮになると、所定の周期ごと、例えば１５ｆｐｓごとに、撮像素子４による撮像を行い、その撮影画像をプレビュー画面としてモニタ１２に逐次表示する。なお、変曲点変更部２５は、プレビュー画面の撮像により算出されたＡＥ評価値に基づき、撮像素子４の出力信号の高輝度領域が飽和しないように毎回変曲点を変化させることもできる。
【０１１９】
続いて、ユーザがレリーズスイッチ１７を半押しすると、測光動作が開始される（ステップＳ１）。すなわち、プレビュー画面の撮像を行い、ＡＥ評価値算出部３３がＡＥ評価値を検出すると、システム制御部８がそのＡＥ評価値、例えばモニタ１２の画面全体の平均輝度値から、本撮影における露光条件である絞り値、シャッタスピード及び撮影感度などを決定する。なお、この撮像において、変曲点変更部２５は撮像素子４に印加する電圧値ＶＬを最小として撮像素子４を常に線形変換動作させてもよく、また、線形変換動作及び対数変換動作の双方を行うことが出来る状態としてもよい。
【０１２０】
次に、システム制御部８は、撮影時に照射部６としてのストロボ装置を使用するか否かの判断を行う（ステップＳ２）。本実施形態では、ＡＥ評価値よりプレビュー画面全体の平均輝度値を算出し、その平均輝度値が所定の輝度値以下であれば撮影時にストロボ装置を使用する判断を行う。一方、平均輝度値が所定の輝度値以上であれば、ストロボ装置を用いずに通常の撮影動作を行う（ステップＳ１３）。
【０１２１】
次に、ユーザがレリーズスイッチ１７を全押しすると、システム制御部８は、本撮影時の露光条件でストロボ装置を使用せずに撮影を行った後に、本照射の１／ｎの光量で予備照射をして撮影を行う。なお、この撮像において、変曲点変更部２５は撮像素子４に印加する電圧値ＶＬを最小として撮像素子４を常に線形変換動作させてもよく、また、線形変換動作及び対数変換動作の双方を行うことが出来る状態としてもよい。
【０１２２】
続いて、ラインセンサ５は所定の領域Ａ〜Ｅにおいて、ストロボ装置を使用しない場合の撮影における被写体の反射光のセンサ受光量（i）と、予備照射した場合の撮影における被写体の反射光のセンサ受光量（ii）とを検出し、それぞれの受光量をシステム制御部８に送信する。
【０１２３】
次に、システム制御部８は、センサ受光量（ｉ）とセンサ受光量（ii）との差をとることにより、領域Ａ〜Ｅごとに被写体の距離に応じた反射光量Ｘを算出する（ステップＳ４）。
【０１２４】
続いて、システム制御部８は、ストロボ光の到達範囲内に被写体が存在するか否かを判断する（ステップＳ５）。その結果、ストロボ光の寄与を受ける被写体が存在しないと判断した場合は、本撮影時のストロボ光量を最大として設定する（ステップＳ６）。また、変曲点変更部２５は、撮像素子４に印加する電圧値ＶＬを最小として、撮像素子４を常に線形変換動作させる状態とする。（ステップＳ６）。なお、ここでストロボ光の寄与を受ける被写体が存在しない場合は、電池容量の消費を防ぐために、本撮影時にストロボ発光せず、画面全体の平均輝度に対して、絞りとシャッタスピードなどを適宜組み合わせるのみで露光動作を行ってもよい。この場合、コントラストを良好にするため、撮像素子４を常に線形変換動作させる状態とする。
【０１２５】
一方、ストロボ光の到達範囲内に被写体が存在すると判断した場合は、複数の被写体が存在するか否かを判断する（ステップＳ７）。その結果、１つの被写体が存在すると判断した場合は、その被写体を主要被写体として決定した後、その主要被写体の露光量が適正となるようにストロボ光量を設定する（ステップＳ８）。また、変曲点変更部２５は、撮像素子４に印加する電圧値ＶＬを最小として、撮像素子４を常に線形変換動作させる状態とする（ステップＳ８）。
【０１２６】
一方、ストロボ光の到達範囲内に複数の被写体が存在すると判断した場合は、ストロボ光の到達範囲内で反射光量Ｘが最小となる被写体を主要被写体として決定した後（ステップＳ９）、決定した主要被写体の露光量が適正となるストロボ光量を設定する（ステップＳ１０）。この際、ストロボ光の到達範囲内で被写体の距離に応じた反射光量Ｘに差があるか否かを判断し、差がない場合は同一の被写体、差がある場合は異なる被写体として判断する。例えば、図９では、領域Ｂ及び領域Ｃに対応する被写体は同一の被写体と判断され、領域Ａに対応する被写体は異なる被写体と判断される。そして、受光した反射光量Ｘが最小となる領域Ｂ及び領域Ｃに対応する被写体を主要被写体として決定する。
【０１２７】
次に、変曲点変更部２５は、ストロボ光の到達範囲内で反射光量Ｘの最も大きい副被写体の輝度範囲で出力信号が飽和しないように変曲点を変更することにより、その副被写体の輝度分布を対数領域に位置させる（ステップＳ１１）。本実施形態では、図９の領域Ａの輝度範囲において出力信号が飽和しないように変曲点を変更する。すなわち、図１０に示すように、グラフ（ａ）における変曲点αが変曲点βの位置となるように変曲点を下げる。これにより、撮像素子４の出力信号はグラフ（ｂ）となり、領域Ａの輝度分布は対数領域に位置する。このように、反射光量Ｘの最も大きい副被写体の輝度範囲において出力信号が飽和しないように変曲点を変更することにより、主要被写体より近距離に位置する他の副被写体についても出力信号の飽和を防ぐ。
【０１２８】
次に、変曲点変更部２５は、撮像素子４の変曲点を変更するために撮像素子４に設定する電圧値ＶＬを算出する。
【０１２９】
次に本撮影に移行し、システム制御部８はストロボ装置による本照射を行うと共に本撮影を行う（ステップＳ１２）。すなわち、本撮影の露光開始後に本照射し、所定時間経過後に露光を終了する。すると、撮像素子４の画素Ｇ１１〜Ｇｍｎは変曲点変更部２５が変更した変曲点において線形変換動作と対数変換動作との切り換えを行うことにより、入射光を光電変換する。そして、光電変換によって得られた電気信号を信号処理部９に出力する。
【０１３０】
そして、信号処理部９は、光電変換により得られた電気信号に所定の画像処理を施す。すなわち、アンプ３０が撮像素子４から出力された電気信号を所定の規定レベルに増幅すると、Ａ／Ｄコンバータ３１が増幅された電気信号をデジタル信号に変換する。
【０１３１】
次に、黒基準補正部３２が最低輝度値となる黒レベルを基準値に補正する。また、ＡＥ評価値算出部３３が黒基準補正後の電気信号からＡＥ（自動露出）のために必要な評価値を検出してシステム制御部８に送出する。一方、ＷＢ処理部３４は黒基準補正後の電気信号から補正係数を算出することによって、撮像画像のＲ，Ｇ，Ｂの各色成分のゲイン値を調整して白色を正しく表示する。
【０１３２】
また、色補間部３５が各画素について欠落する色成分を補間する色補間処理を行う。そして、色補正部３６が画素ごとの色成分値を補正して各画素の色合いを強調した画像を生成する。また、階調変換部３７が画像の階調の応答特性を撮像装置１のガンマ値に応じた最適のカーブに補正するガンマ補正処理を行うと、色空間変換部３８が色空間をＲＧＢからＹＵＶに変換する。
【０１３３】
そして、記録部１１は、信号処理部９から出力された画像データを記録する。
【０１３４】
以上より本実施形態によれば、ストロボ装置を使用して撮影を行うときに、変曲点を変更して対数領域を優先的に使用することにより、被写体の露光量オーバーによって撮像素子４の出力信号が飽和するのを防ぎ、撮影画像が白とびするのを防止することができる。
【０１３５】
また、ストロボ光の到達範囲内に複数の被写体があった場合、ストロボ光の到達範囲内で最も近距離に位置する被写体について、撮像素子４の出力信号が飽和しないように変曲点を変更し、対数領域を優先的に使用することによって、その被写体及び他の被写体についても出力信号が飽和して撮影画像が白とびするのを防止することができる。
【０１３６】
また、ストロボ光の反射光量が最も小さい被写体、すなわち最も遠距離に位置する被写体の露光量が適正になるようにストロボ光量を調整することにより、ストロボ光の寄与度が最も少ない被写体の撮影画像における黒つぶれを防ぐことができる。
【０１３７】
また、ストロボ光の到達距離内であれば、ストロボ装置を使用して撮影した場合の反射光量とストロボ装置を使用せずに撮影した場合の反射光量との差が被写体の距離に応じた反射光量となることから、撮像装置１からの被写体の相対的距離を判断することが可能となる。
【０１３８】
以上述べたように本発明の撮像装置によれば、照射部を使用した撮影において、撮像素子の出力信号の飽和を防ぎ、撮影画像の白とびを防止して、良好な画像を得ることが可能となる。この際、変曲点を変更するのみで、露光条件は変えずに画面全体の明るさに対する影響を抑えることができる。
【０１３９】
また、照射光の到達範囲内で被写体が複数存在する場合に、それぞれの被写体までの距離が異なる場合であっても、露光条件は変えずに画面全体の明るさに対する影響を抑えつつ、最も近距離に位置する被写体を基準として変曲点を変更することによって、被写体全体として撮像素子の出力信号の飽和を防ぎ、撮影画像の白とびを防止して、良好な画像を得ることが可能となる。
【０１４０】
また、照射光の到達範囲内で被写体が複数存在する場合に、撮像装置から最も遠距離に位置する被写体の撮影画像における黒つぶれを防ぐことができる。
【０１４１】
また、撮像装置からの被写体の相対的距離より、それぞれの被写体に対する照射光の寄与度を把握して、変曲点の制御や露光量の調整を行うことが可能となる。
【図面の簡単な説明】
【０１４２】
【図１】本発明の実施形態に係る撮像装置の構成を示す正面図である。
【図２】本発明の実施形態に係るラインセンサの構成を示す平面図である。
【図３】本発明の実施形態に係る撮像装置の構成を示す背面図である。
【図４】本発明の実施形態に係る撮像装置の機能的構成を示すブロック図である。
【図５】本発明の実施形態に係る撮像素子の構成を示すブロック図である。
【図６】本発明の実施形態に係る撮像素子が備える画素の構成を示す回路図である。
【図７】本発明の実施形態に係る撮像素子が備える画素の動作を示すタイムチャートである。
【図８】本発明の実施形態に係る撮像素子の入射光量に対する出力を示すグラフである。
【図９】本発明の実施形態に係る照射部の照射光の被写体距離に応じた反射光量の例を示すグラフである。
【図１０】本発明の実施形態に係る撮像素子の出力の変曲点を示すグラフである。
【図１１】本発明の実施形態に係る撮像装置の動作を示すフローチャートである。
【符号の説明】
【０１４３】
１  撮像装置
２  筐体
３  レンズユニット
４  撮像素子
５  ラインセンサ
６  照射部
７  調光センサ
８  システム制御部
９  信号処理部
１０  電池
１１  記録部
１２  モニタ
１３  ズームボタンＷ
１４  ズームボタンＴ
１５  光学式ファインダ
１６  選択用十字キー
１７  レリーズスイッチ
１８  電源スイッチ
１９  ＵＳＢ端子
２０  絞り制御部
２１  タイミング生成部
２２  操作部
２３  照射制御回路
２４  調光回路
２５  変曲点変更部
３０  アンプ
３１  Ａ／Ｄコンバータ
３２  黒基準補正部
３３  ＡＥ評価値算出部
３４  ＷＢ処理部
３５  色補間部
３６  色補正部
３７  階調変換部
３８  色空間変換部
【図１】
2006332944.tif 000003
【図２】
2006332944.tif 000004
【図３】
2006332944.tif 000005
【図４】
2006332944.tif 000006
【図５】
2006332944.tif 000007
【図６】
2006332944.tif 000008
【図７】
2006332944.tif 000009
【図８】
2006332944.tif 000010
【図９】
2006332944.tif 000011
【図１０】
2006332944.tif 000012
【図１１】
2006332944.tif 000013